(57)【特許請求の範囲】
【請求項１】
被写体を結像させる結像光学系と、
上記結像光学系により結像された像を電気的な画像信号に変換して出力する画素信号出力手段と、
上記画素信号出力手段により出力された画素信号を処理して画像データを生成する情報処理手段と、
一段押し下げられた時に第一のスイッチとして機能し、続けて押し下げられたときに第二のスイッチとして機能する二段押し式トリガー手段と、
上記二段押し式トリガー手段からの指示に応じて画像を記録する画像記録手段と、
を有する電子的撮像装置であって、
上記画像信号出力手段は、ＣＣＤイメージセンサーと、該ＣＣＤイメージセンサーの駆動を制御する駆動制御手段を有しており、
上記駆動制御手段は、上記二段押し式トリガー手段が押し下げられていない状態においては垂直方向にｍライン毎にｎラインの画素信号を出力し（ここにｍとｎは共に自然数でｍ＞ｎかつｍ≧３を満足する）、上記二段押し式トリガー手段が一段押し下げられて上記第一のスイッチがオンした後には垂直方向に連続するｑラインの画素信号を加算して出力し（ここにｑは２以上の自然数である）、さらに上記二段押し式トリガー手段が続けて押し下げられて上記第二のスイッチがオンした後には垂直方向に１ラインずつ順番にすべての画素信号を読出して出力し、
上記駆動制御手段によって出力される上記二段押し式トリガー手段が押し下げられていない状態の出力信号に基づいてＡＦ、ＡＷＢ、ＡＥのための制御データが１フレーム毎に繰り返し算出され、上記二段押し式トリガー手段が一段押し下げられて上記第一のスイッチがオンした後に出力される信号に基づいてＡＦのための制御データが１フレーム毎に算出され、さらに上記二段押し式トリガー手段が続けて押し下げられて上記第二のスイッチがオンした後に出力される信号に基づいて画像が記録媒体に記録され、当該記録終了後には再び上記二段押し式トリガー手段が押し下げられていない状態の出力信号に基づいてＡＦ、ＡＷＢ、ＡＥのための制御データが１フレーム毎に繰り返し算出される
ことを特徴とする電子的撮像装置。
【請求項２】
被写体を結像させる結像光学系と、
上記結像光学系により結像された像を電気的な画像信号に変換して出力する画素信号出力手段と、
上記画素信号出力手段により出力された画素信号を処理して画像データを生成する情報処理手段と、
一段押し下げられた時に第一のスイッチとして機能し、続けて押し下げられたときに第二のスイッチとして機能する二段押し式トリガー手段と、
上記二段押し式トリガー手段からの指示に応じて画像を記録する画像記録手段と、
を有する電子的撮像装置であって、
上記画像信号出力手段は、ＣＣＤイメージセンサーと、該ＣＣＤイメージセンサーの駆動を制御する駆動制御手段を有しており、
上記駆動制御手段は、上記二段押し式トリガー手段が押し下げられていない状態においては垂直方向にｍライン毎にｎラインの画素信号を加算して出力し（ここにｍとｎは共に自然数でｍ＞ｎを満足する）、上記二段押し式トリガー手段が一段押し下げられて上記第一のスイッチがオンした後には垂直方向に連続するｑラインの画素信号を加算して出力し（ここにｑは２以上の自然数である）、さらに上記二段押し式トリガー手段が続けて押し下げられて上記第二のスイッチがオンした後には垂直方向に１ラインずつ順番にすべての画素信号を読出して出力し、
上記駆動制御手段によって出力される上記二段押し式トリガー手段が押し下げられていない状態の出力信号に基づいてＡＦ、ＡＷＢ、ＡＥのための制御データが１フレーム毎に繰り返し算出され、上記二段押し式トリガー手段が一段押し下げられて上記第一のスイッチがオンした後に出力される信号に基づいてＡＦのための制御データが１フレーム毎に算出され、さらに上記二段押し式トリガー手段が続けて押し下げられて上記第二のスイッチがオンした後に出力される信号に基づいて画像が記録媒体に記録され、当該記録終了後には再び上記二段押し式トリガー手段が押し下げられていない状態の出力信号に基づいてＡＦ、ＡＷＢ、ＡＥのための制御データが１フレーム毎に繰り返し算出される
ことを特徴とする電子的撮像装置。
【発明の詳細な説明】
【技術分野】
【０００１】
本発明は、ＣＣＤイメージセンサーを用いた電子的撮像装置いわゆる電子スチルカメラに関する。
【背景技術】
【０００２】
近年、マルチメディア機器への画像データの入力が可能な電子的撮像装置いわゆる電子スチルカメラの開発が盛んに行なわれている。電子スチルカメラは、一般にＣＣＤイメージセンサーを用いて画像を取得し、取得した画像を液晶パネル等の電子ビューファインダーに表示するとともに、使用者によるトリガーの押し下げに応じて例えば磁気的手段により画像を記録媒体に記録する。
【０００３】
電子スチルカメラは現像が不要なため非常に手軽であるが、今後の電子スチルカメラには、尚一層の高画質化や操作性の向上が望まれている。この要望に応えるには、画素数の多いＣＣＤイメージセンサーを使用する一方で撮影する画像と同じ画角の画像を電子ビューファインダーによりリアルタイムで確認できることが不可欠である。
【発明の開示】
【発明が解決しようとする課題】
【０００４】
ＣＣＤイメージセンサーは、有効画素数が１００万を越えるものが実現されており、今後は更に多くの画素を有するものが提供され実用化されるであろう。また静止画撮影用のＣＣＤイメージセンサーでは、これまでの飛び越し走査ではなく、１ラインずつ順番に読み出す順次走査によって、画素信号が読み出されるものが主流になりつつある。これは、隣接するラインの画素信号の読み出し時間の差に起因する画質の低下を避けるためである。
【０００５】
現在、市販されているＡ／Ｄコンバーターの動作クロック周波数は１５〜２０ＭＨｚ程度が主流であり、かつ低消費電力化を考慮すると、これ以上高い駆動周波数は望ましくない。１５〜２０ＭＨｚ程度の周波数による１００万画素クラスのＣＣＤイメージセンサーの順次走査駆動によって実現できるフレームレートは１０〜１５枚／秒程度である。
【０００６】
この程度のフレームレートでの画像の表示は、人間の目には自然な動画としてではなくコマ送り状の疑似動画として認識される。人間の目に自然な動画として認識される画像の表示には、３０〜６０枚／秒のフレームレートが必要である。
【０００７】
本発明の目的は、高画素のＣＣＤイメージセンサー（たとえば１００万画素クラス）を用いた電子的撮像装置であって、比較的低い駆動周波数（たとえば２０ＭＨｚ以下）でありながら非撮影時は動画として認識される画像を表示する電子的撮像装置を提供することである。
【課題を解決するための手段】
【０００８】
本発明の電子的撮像装置は、被写体を結像させる結像光学系と、上記結像光学系により結像された像を電気的な画像信号に変換して出力する画素信号出力手段と、上記画素信号出力手段により出力された画素信号を処理して画像データを生成する情報処理手段と、一段押し下げられた時に第一のスイッチとして機能し、続けて押し下げられたときに第二のスイッチとして機能する二段押し式トリガー手段と、上記二段押し式トリガー手段からの指示に応じて画像を記録する画像記録手段と有している。上記画像信号出力手段は、ＣＣＤイメージセンサーと、該ＣＣＤイメージセンサーの駆動を制御する駆動制御手段を有している。上記駆動制御手段は、上記二段押し式トリガー手段が押し下げられていない状態においては垂直方向にｍライン毎にｎラインの画素信号を出力し（ここにｍとｎは共に自然数でｍ＞ｎかつｍ≧３を満足する）、上記二段押し式トリガー手段が一段押し下げられて上記第一のスイッチがオンした後には垂直方向に連続するｑラインの画素信号を加算して出力し（ここにｑは２以上の自然数である）、さらに上記二段押し式トリガー手段が続けて押し下げられて上記第二のスイッチがオンした後には垂直方向に１ラインずつ順番にすべての画素信号を読出して出力する。上記駆動制御手段によって出力される上記二段押し式トリガー手段が押し下げられていない状態の出力信号に基づいてＡＦ、ＡＷＢ、ＡＥのための制御データが１フレーム毎に繰り返し算出され、上記二段押し式トリガー手段が一段押し下げられて上記第一のスイッチがオンした後に出力される信号に基づいてＡＦのための制御データが１フレーム毎に算出され、さらに上記二段押し式トリガー手段が続けて押し下げられて上記第二のスイッチがオンした後に出力される信号に基づいて画像が記録媒体に記録され、当該記録終了後には再び上記二段押し式トリガー手段が押し下げられていない状態の出力信号に基づいてＡＦ、ＡＷＢ、ＡＥのための制御データが１フレーム毎に繰り返し算出される。
【０００９】
本発明の別の電子的撮像装置は、被写体を結像させる結像光学系と、上記結像光学系により結像された像を電気的な画像信号に変換して出力する画素信号出力手段と、上記画素信号出力手段により出力された画素信号を処理して画像データを生成する情報処理手段と、一段押し下げられた時に第一のスイッチとして機能し、続けて押し下げられたときに第二のスイッチとして機能する二段押し式トリガー手段と、上記二段押し式トリガー手段からの指示に応じて画像を記録する画像記録手段とを有している。上記画像信号出力手段は、ＣＣＤイメージセンサーと、該ＣＣＤイメージセンサーの駆動を制御する駆動制御手段を有している。上記駆動制御手段は、上記二段押し式トリガー手段が押し下げられていない状態においては垂直方向にｍライン毎にｎラインの画素信号を加算して出力し（ここにｍとｎは共に自然数でｍ＞ｎを満足する）、上記二段押し式トリガー手段が一段押し下げられて上記第一のスイッチがオンした後には垂直方向に連続するｑラインの画素信号を加算して出力し（ここにｑは２以上の自然数である）、さらに上記二段押し式トリガー手段が続けて押し下げられて上記第二のスイッチがオンした後には垂直方向に１ラインずつ順番にすべての画素信号を読出して出力する。上記駆動制御手段によって出力される上記二段押し式トリガー手段が押し下げられていない状態の出力信号に基づいてＡＦ、ＡＷＢ、ＡＥのための制御データが１フレーム毎に繰り返し算出され、上記二段押し式トリガー手段が一段押し下げられて上記第一のスイッチがオンした後に出力される信号に基づいてＡＦのための制御データが１フレーム毎に算出され、さらに上記二段押し式トリガー手段が続けて押し下げられて上記第二のスイッチがオンした後に出力される信号に基づいて画像が記録媒体に記録され、当該記録終了後には再び上記二段押し式トリガー手段が押し下げられていない状態の出力信号に基づいてＡＦ、ＡＷＢ、ＡＥのための制御データが１フレーム毎に繰り返し算出される。
【発明の効果】
【００１１】
本発明によれば、ＣＣＤイメージセンサーは非撮影時は高速モードで駆動され、これにより２０ＭＨｚ以下の駆動周波数でありながら非撮影時は動画として認識される画像を表示する１００万画素クラスのＣＣＤイメージセンサーを用いた電子的撮像装置が得られる。
【発明を実施するための最良の形態】
【００１２】
以下、図面を参照しながら本発明の実施の形態について説明する。
【００１３】
図１は本発明の実施形態の電子的撮像装置の回路構成を示すブロック図である。電子的撮像装置は、ＣＣＤイメージセンサー１２と、相関二重サンプリング回路（ＣＤＳ）１４、ゲインコントロールアンプ（ＡＭＰ）１６、アナログデジタル変換器１８とを有している。ＣＣＤイメージセンサー１２はタイミングジェネレーター２０から供給される転送パルスに従って駆動され、相関二重サンプリング回路（ＣＤＳ）１４はタイミングジェネレーター２０から供給されるサンプルホールドパルスに従って駆動される。タイミングジェネレーター２０はシグナルジェネレーター２２で生成される同期信号に従って互いに同期して駆動する。
【００１４】
情報処理部２６はＡ／Ｄ変換器１８から供給される画素信号を処理して画像を形成する。ＤＲＡＭ２８は情報処理部２６から供給される画像データを一時的に記憶し、圧縮伸長回路３０はＤＲＡＭ２８に記憶されている画像データを圧縮し、記録媒体３２は圧縮伸長回路３０から供給される圧縮された画像データを記録する。また、圧縮伸長回路３０は記録媒体３２に記録されている圧縮された画像データを伸長し、ＤＲＡＭ２８は圧縮伸長回路３０から供給される伸長された画像データを一時的に記憶する。
【００１５】
インターフェース部３６はモニター、パソコン等の外部装置とのデータのやりとりを可能とする端子であり、情報処理部２６あるいはＤＲＡＭ２８から供給される画像データを外部装置へ出力することを可能とし、あるいは場合によっては外部装置から画像データを装置内に取り込むことを可能にする。
【００１６】
液晶表示部３４は情報処理部２６から供給される画像データあるいはＤＲＡＭ２８から供給される伸長された画像データを表示する。
【００１７】
ＣＰＵ２４はタイミングジェネレーター２０やシグナルジェネレーター２２やレンズ駆動系３８や絞り制御系４２の制御を行なう。具体的には、静止画像の取り込みを指示するトリガー４６からの指令に従ってＣＣＤイメージセンサー１２の駆動モードの切り替えや、ＤＲＡＭ２８から供給される画像データに基づいてレンズ４０を駆動させるオートフォーカス制御や絞り４４の開口を変更する制御やＣＣＤイメージセンサー１２の露光量の制御などを行なう。
【００１８】
ＣＣＤイメージセンサー１２は、１００万を越える画素を有するインターライン型のＣＣＤイメージセンサーで、線順次走査による全画素読み出しに適したベイヤー配列の色フィルターを有している。本明細書において、線順次走査による全画素読み出しとは、各ラインに含まれる画素のデータを、１ライン目、２ライン目、３ライン目と、１ラインずつ順番に読み出し、その結果として一回の走査で全部の画素信号を読み出すことを意味するものとする。
【００１９】
ベイヤー配列の色フィルターの構成を図２に示す。図中、Ｒ、Ｇ、Ｂはそれぞれ赤、緑、青を選択的に透過するフィルターを意味し、その一つ一つがフォトダイオードの前に位置している。このベイヤー配列の色フィルターでは、奇数ラインにはＲ（赤）とＧ（緑）のフィルターが交互に並び、偶数ラインにはＧ（緑）とＢ（青）のフィルターが交互に並び、Ｇ（緑）のフィルターは全体で市松模様に並んでいる。
【００２０】
ＣＣＤイメージセンサー１２は高画質モードと高速モードのいずれかで駆動される。駆動モードの切り替えは、タイミングジェネレーター２０がＣＣＤイメージセンサー１２に出力する転送パルスを変更することにより行なわれる。高画質モードはＣＣＤイメージセンサー１２の画素信号の全部を線順次走査により読み出す駆動モードであり、きれいな画像が得られるが、一枚の画像の読み出しに１／１５〜１／１０秒の時間を要する。一方、高速モードは水平転送の回数を減らした駆動モードで、ＣＣＤイメージセンサー１２の画素信号を選択的にまたは加算して読み出す駆動モードであり、画質は高画質モードに比べて落ちるが、一枚の画像の読み出しを１／６０〜１／３０秒の時間で行なえる。従って、３０〜６０枚／秒のフレームレートで画像を得ることができ、通常の動画表示に対応可能である。
【００２１】
ＣＣＤイメージセンサー１２は通常時すなわち非撮影時は高速モードで駆動され、トリガー４６が押し下げられた時すなわち撮影時だけ高画質モードで駆動される。ＣＣＤイメージセンサー１２が高速モードで駆動される間、液晶表示部３４には３０〜６０枚／秒のフレームレートで画像が表示され、これは人間の目には動画として認識される。高画質モードにより得られたきれいな画像は記録媒体３２に記録される。静止画の記録終了後、ＣＣＤイメージセンサー１２の読み出しモードは再び高速モードに戻る。これについては後に図１２を用いて詳しく説明する。
【００２２】
なお、電子的撮像装置は、きれいな画像の記録が要求されないものでは、トリガー４６が押し下げられた時もＣＣＤイメージセンサー１２を高速モードで駆動する構成であってもよい。この場合、液晶表示部３２に表示される画像は人間の目には常に動画として認識される。
【００２３】
図３は高画質モードによる画素信号の読み出しの様子を示している。図中、左側の列はＣＣＤイメージセンサー１２の画素信号をライン単位で示しており、右側の列は実際に読み出される画素信号をライン単位で示している。また、図２の色フィルターとの対応により、奇数ラインは赤（Ｒ）の色（color）データを含んでいるとの理由からＣＲと表記し、偶数ラインは青（Ｂ）の色（color）データを含んでいるとの理由からＣＢと表記してある。
【００２４】
高画質モードでは、ＣＣＤイメージセンサー１２は画素信号を１ラインずつ順番に出力する。すなわち、最初に１ライン目の画素信号を出力し、１ライン目の画素信号の出力が終了したら２ライン目の画素信号を出力し、２ライン目の画素信号の出力が終了したら３ライン目の画素信号を出力し、以降、同じ処理を繰り返し、最後にＬライン目の画素信号を出力する。
【００２５】
このような線順次走査では、色フィルターがベイヤー配列であることと関連して、赤色情報を含むライン（ＣＲ）と青色情報を含むライン（ＣＢ）が交互に読み出されるので、高解像の画像が得られる。さらに、隣接するラインの画素信号の露光時間の差がないので、高画質の画像が得られる。ただし、全部の画素信号の読み出しには１／１５〜１／１０秒の時間を要する。
【００２６】
高速モードは、その読み出しの仕方により色々なパターンが考えられる。さらに詳しくは、実際にそこから画素信号を読み出すラインの選択の仕方、また選択したラインに対する処理の仕方によって、種々のモードが考えられる。以下では、電子的撮像装置に適用可能な種々のモードの中のいくつかの例について代表的に説明する。
【００２７】
図４は第一の高速モードによる画素信号の読み出しの様子を示している。図中、左側の列はＣＣＤイメージセンサー１２の画素信号をライン単位で示しており、右側の列は実際に読み出される画素信号をライン単位で示している。また、図３と同様に、赤（Ｒ）の色（color）データを含むラインはＣＲと表記し、青（Ｂ）の色（color）データを含むラインはＣＢと表記してある。
【００２８】
図４に示されるように、この高速モードでは、ＣＣＤイメージセンサー１２は２ライン置きに１ラインの画素信号を順番に出力する。別の表現をすれば、垂直方向の３ライン毎に１ラインの画素信号を出力する。つまり、最初に３ライン目の画素信号の出力し、３ライン目の画素信号の出力が終了したら６ライン目の画素信号を出力し、６ライン目の画素信号の出力が終了したら９ライン目の画素信号を出力し、以降、同じ処理を繰り返し、最後にＬライン目の画素信号を出力する。図４には、便宜上、最後にＬライン目の画素信号が出力されるように、言い換えればＬが３の倍数であるように示してあるが、Ｌが３の倍数である必然性は全くない。
【００２９】
一般にＣＣＤイメージセンサーでは、水平転送に要する時間が画素信号の読み出しに要する時間に大きく寄与する。言い換えれば、水平転送の回数が画素信号の読み出しに要する時間を決定する。
【００３０】
図４の高速モードでは、実際に画素信号が読み出されるラインの数は全体の三分の一である。従って、図３の高画質モードに比べて、水平転送の回数は三分の一であり、画素信号は実質的に三分の一の時間で読み出される。つまり、一枚の画像の画素信号が１／４５〜１／３０秒の時間で得られる。従って、３０〜４５枚／秒のフレームレートでの画像の取得が可能であり、このフレームレートは通常の動画表示を実現し得る数値である。
【００３１】
また、図４の高速モードでは、ベイヤー配列の色フィルターに対して、２ライン置きに１ラインの画素信号を読み出しているので、別の言い方をすれば、垂直方向の３ライン毎に１ラインの画素信号を読み出しているので、読み出された画素信号すなわち図４の右側の列において、赤色情報を含むライン（ＣＲ）と青色情報を含むライン（ＣＢ）を垂直方向に交互に並んでいる。従って、高解像の画像が得られる。
【００３２】
このように読み出された画素信号において赤色情報を含むライン（ＣＲ）と青色情報を含むライン（ＣＢ）が垂直方向に交互に並ぶことを本明細書中では色線順次と呼ぶことにする。また、赤色情報を含むライン（ＣＲ）と青色情報を含むライン（ＣＢ）が交互に読み出すことを色線順次走査と呼ぶことにする。
【００３３】
上述した図４の高速モードでは、垂直方向の３ライン毎に１ラインの画素信号を読み出しているが、ライン数はこれに限らない。例えば、垂直方向に５ライン毎に１ラインを読み出してもよい。あるいは、７ライン毎に１または３ラインの画素信号を読み出してもよい。
【００３４】
また、垂直方向の３ライン毎に１ラインの画素信号を読み出す場合においても、読み出すラインは３ライン目に限らない。読み出すラインは、１ライン目または２ライン目であってもよい。
【００３５】
これらを参酌すると、図４を用いて説明した第一の高速モードは、一般化して、垂直方向のｍライン毎にｎラインの画素信号を読み出すモード（ここにｍとｎは共に自然数でｍ＞ｎを満足する）であると言える。より詳しくは、垂直方向の（２α−１）ライン毎に（２β−１）ラインの画素信号を読み出すモード（ここにαとβは共に自然数でα＞βを満足する）であると言える。この場合、画素信号の読み出しに要する時間は実質的に高画質モードでの読み出しに要する時間のｎ／ｍすなわち（２β−１）／（２α−１）になる。また、ベイヤー配列の色フィルターに対して、画素信号は色線順次で読み出される。
【００３６】
図５は第二の高速モードによる画素信号の読み出しの様子を示している。図面の意味およびＣＲとＣＢの表記の意味は図４と同じである。
【００３７】
図５に示されるように、この高速モードでは、ＣＣＤイメージセンサー１２は２ライン置きに２ラインの画素信号を順番に出力する。別の表現をすれば、垂直方向の４ライン毎に２ラインの画素信号を出力する。つまり、最初に１ライン目の画素信号の出力し、１ライン目の画素信号の出力が終了したら２ライン目の画素信号を出力し、２ライン目の画素信号の出力が終了したら５ライン目の画素信号を出力し、５ライン目の画素信号の出力が終了したら６ライン目の画素信号を出力し、以降、同じ処理を繰り返し、最後にＬ−３ライン目の画素信号の出力を出力し、これに続けてＬ−２ライン目の画素信号を出力する。図５では、便宜上、Ｌが４の倍数であるように描かれているが、Ｌが４の倍数である必然性は全くない。
【００３８】
図５の高速モードでは、実際に画素信号が読み出されるラインの数は全体の二分の一である。従って、図３の高画質モードに比べて、水平転送の回数は二分の一であり、画素信号は実質的に二分の一の時間で読み出される。つまり、一枚の画像の画素信号が１／３０秒の時間で得られる。従って、３０枚／秒のフレームレートでの画像の取得が可能であり、このフレームレートは通常の動画表示を実現し得る数値である。
【００３９】
また、図５の高速モードでは、ベイヤー配列の色フィルターに対して、２ライン置きに２ラインの画素信号を読み出しているので、別の言い方をすれば、垂直方向の４ライン毎に２ラインの画素信号を読み出しているので、読み出された画素信号すなわち図５の右側の列は、赤色情報を含むライン（ＣＲ）と青色情報を含むライン（ＣＢ）が垂直方向に交互に並んだ色線順次となっている。従って、高解像の画像が得られる。
【００４０】
さらに、図５の高速モードでは、垂直方向の４ライン毎に１ライン目と２ライン目の画素信号を読み出しているので、読み出された画素信号は隣接するラインの色情報を含んでいる。従って、モアレの少ない画像が得られる。
【００４１】
上述した図５の高速モードでは、垂直方向の４ライン毎に２ラインの画素信号を読み出しているが、ライン数はこれに限らない。例えば、垂直方向に６ライン毎に２ラインの画素信号を読み出してもよい。あるいは、８ライン毎に４ラインの画素信号を読み出してもよい。
【００４２】
また、垂直方向の４ライン毎に２ラインの画素信号を読み出す場合においても、読み出すラインは１ライン目と２ライン目に限らない。２ライン目と３ライン目であっても、または３ライン目と４ライン目であってもよい。あるいは１ライン目と４ライン目であってもよい。
【００４３】
これらを参酌すると、図５を用いて説明した第二の高速モードは、一般化して、垂直方向のｍライン毎にｎラインの画素信号を読み出すモード（ここにｍとｎは共に自然数でｍ＞ｎを満足する）であると言える。より詳しくは、垂直方向の２αライン毎に２βラインの画素信号を読み出すモード（ここにαとβは共に自然数でα＞βを満足する）であると言える。この場合、画素信号の読み出しに要する時間は実質的に高画質モードでの読み出しに要する時間のβ／αになる。
【００４４】
さらに詳しくは、２βラインは、隣接するラインからなるか、偶数ラインを間に置いたラインからなると言える。この場合、ベイヤー配列の色フィルターに対して、画素信号は色線順次で読み出され、読み出される画素信号は隣接するラインの色情報を含んでいる。
【００４５】
図６は第三の高速モードによる画素信号の読み出しの様子を示している。図面の意味およびＣＲとＣＢの表記の意味は図４と同じである。
【００４６】
図６に示されるように、この高速モードでは、ＣＣＤイメージセンサー１２は垂直方向の３ライン毎に２ラインの画素信号を加算して出力する。つまり、最初に１ライン目の画素信号と３ライン目の画素信号を加算して出力し、続いて、４ライン目の画素信号と６ライン目の画素信号を加算して出力し、以降、同じ処理を繰り返し、最後にＬ−２ライン目の画素信号とＬライン目の画素信号を加算して出力する。図６では、便宜上、Ｌが３の倍数であるように描いてあるが、Ｌが３の倍数である必然性は全くない。
【００４７】
図６の高速モードでは、実際に読み出されるラインの数は全体の三分の一である。従って、図３の高画質モードに比べて、水平転送の回数は三分の一であり、画素信号は実質的に三分の一の時間で読み出される。一枚の画像の画素信号が１／４５〜１／３０秒の時間で得られる。従って、３０〜４５枚／秒のフレームレートでの画像の取得が可能であり、このフレームレートは通常の動画表示を実現し得る数値である。
【００４８】
また、図６の高速モードでは、ベイヤー配列の色フィルターに対して、垂直方向の３ライン毎に２ラインの画素信号を加算して読み出しているので、読み出された画素信号は、赤色情報を含むライン（ＣＲ）と青色情報を含むライン（ＣＢ）が垂直方向に交互に並んだ色線順次となっている。従って、高解像の画像が得られる。
【００４９】
さらに、図６の高速モードでは、垂直方向の３ライン毎にその中の最上ラインの画素信号と最下ラインの画素信号を加算して読み出しているので、読み出された画素信号は隣接するラインの色情報を含んでいる。従って、モアレの少ない画像が得られる。
【００５０】
画素信号の加算は垂直転送路または水平転送路において行なわれる。以下では、まず垂直転送路における加算について説明し、その後で水平転送路における加算について説明する。
【００５１】
図７は垂直転送路における画素信号の加算を説明する図である。図中、四角形はＣＣＤイメージセンサーの各画素であるフォトダイオードを意味し、四角形内のＲ、Ｇ、Ｂのアルファベットはフォトダイオードが認知する色を意味している。また、垂直方向に３ライン毎に分割した際に、それぞれの分割した中において相対的に同じ位置に相当するフォトダイオードには、その色のアルファベットすなわちＲ、Ｇ、Ｂのいずれかに、最上ライン、中央ライン、最下ラインに対応させてＡ、Ｂ、Ｃの添字を付してある。
【００５２】
最上ライン（Ａの添字がついたアルファベットで示されたフォトダイオードからなる）の画素信号と最下ライン（Ｃの添字がついたアルファベットで示されたフォトダイオードからなる）の画素信号の加算は例えば次のようにして行なわれる。図７において、まず、Ａの添字がついたアルファベットのフォトダイオードの画素信号が垂直転送路に移送され、画素信号である電荷がフォトダイオードの横に形成されたポテンシャル井戸に格納される。その後、画素信号の電荷を格納したポテンシャル井戸が垂直転送路を下方に移動され、２ライン下のフォトダイオードすなわちＣの添字がついたアルファベットのフォトダイオードの横に来ると同時に、最下ラインのフォトダイオードすなわちＣの添字がついたアルファベットのフォトダイオードの画素信号が垂直転送路に移送される。この結果、ポテンシャル井戸（図において＋を囲む楕円で示される）には、Ａの添字がついたアルファベットのフォトダイオードから移送された電荷とＣの添字がついたアルファベットのフォトダイオードから移送された電荷が一緒に格納される。つまり最上ラインのフォトダイオードの画素信号と最下ラインのフォトダイオードの画素信号が加算される。その後、加算した画素信号を格納したポテンシャル井戸は引き続き垂直転送路を下方に移動され、水平転送路に移った後は左方向に移動されライン単位で順番に読み出される。
【００５３】
ポテンシャル井戸の大きさは、全画素読み出し時と同じであっても、異なっていてもよい。
【００５４】
ポテンシャル井戸の大きさが全画素読み出し時と同じ場合すなわちポテンシャル井戸の容量が全画素読み出し時のフォトダイオードの容量と同じ場合、オーバーフロードレインの基板電圧を調整してフォトダイオードの容量をポテンシャル井戸の容量の二分の一に変更することが好ましい。別の言い方をすれば、フォトダイオードを全画素読み出し時の二分の一のダイナミックレンジで動作させることが好ましい。このような容量すなわちダイナミックレンジの変更は、加算後に電荷が垂直転送路から溢れるのを防ぐ。この場合、フォトダイオードのダイナミックレンジが二分の一に制限されるが、読み出し後の信号レベルが全画素読み出し時と同じなので後の信号処理がそのまま行なえるメリットがある。
【００５５】
また、ポテンシャル井戸の大きさが全画素読み出し時と異なる場合、フォトダイオードがダイナミックレンジの変更なしで動作されるのであれば、ポテンシャル井戸の大きさは全画素読み出し時の二倍であることが好ましい。このようなポテンシャル井戸の大きさの設定は、加算後に電荷が垂直転送路から溢れるのを防ぐ。この場合、フォトダイオードのダイナミックレンジをフルに生かせるのでＳＮ比の面でメリットがある。
【００５６】
図８は水平転送路における画素信号の加算を説明する図である。図中の四角形およびアルファベットの意味は図７と同じである。
【００５７】
最上ラインの画素信号と最下ラインの画素信号の加算は次のようにして行なわれる。図８において、まず、Ａの添字がついたアルファベットのフォトダイオードの画素信号とＣの添字がついたアルファベットのフォトダイオードの画素信号が共に垂直転送路に移送され、画素信号である電荷がフォトダイオードの横に形成されたポテンシャル井戸（図において白抜きの楕円で示される）に格納される。その後、すべてのポテンシャル井戸が一様に垂直転送路を下方に移動され、３ライン毎に分割された中の最下ラインのポテンシャル井戸に格納された電荷が水平転送路に形成されたポテンシャル井戸（図において＋を囲む楕円で示される）に移った後も、ポテンシャル井戸の下方への移動は２ライン分だけ続けられ、３ライン毎に分割された中の最上ラインのポテンシャル井戸に格納された電荷も水平転送路に形成されたポテンシャル井戸に移る。この結果、水平転送路内のポテンシャル井戸には、Ａの添字がついたアルファベットのフォトダイオードから移送された電荷とＣの添字がついたアルファベットのフォトダイオードから移送された電荷とが格納される。つまり最上ラインのフォトダイオードの画素信号と最下ラインのフォトダイオードの画素信号が加算される。その後、水平転送路内のポテンシャル井戸は左方向に移動されライン単位で順番に読み出される。
【００５８】
水平転送路は、フォトダイオード間を延びる垂直転送路とは異なり、撮像領域の外側に位置するので、従って、水平転送路に形成するポテンシャル井戸は、垂直転送路のポテンシャル井戸の二倍以上の大きな容量をもつものとすることができる。このように水平転送路は大きな容量のポテンシャル井戸を形成可能であるので、フォトダイオードをフルのダイナミックレンジで動作させても、電荷が水平転送路から溢れる心配はない。この場合、フォトダイオードのダイナミックレンジをフルに生かせるのでＳＮ比の面でメリットがある。
【００５９】
上述した図６の高速モードでは、垂直方向の３ライン毎に２ラインの画素信号を読み出しているが、ライン数はこれに限らない。例えば、垂直方向に５ライン毎に２ラインの画素信号を加算して読み出してもよい。あるいは、７ライン毎に２ラインまたは３ラインの画素信号を加算して読み出してもよい。
【００６０】
これらを参酌すると、図６を用いて説明した第三の高速モードは、一般化して、垂直方向のｍライン毎にｎラインの画素信号を加算して読み出すモード（ここにｍとｎは共に自然数でｍ＞ｎを満足する）であると言える。より詳しくは、垂直方向の（２α−１）ライン毎にβラインの画素信号を加算して読み出すモード（ここにαとβは共に自然数で２α−１＞β＞１を満足する）であると言える。この場合、画素信号の読み出しに要する時間は実質的に高画質モードでの読み出しに要する時間のｎ／ｍすなわちβ／（２α−１）になる。
【００６１】
さらに詳しくは、βラインは（２α−１）ライン毎の少なくとも最上ラインと最下ラインを含んでいると言える。この場合、読み出される画素信号は隣接するラインの色情報を含んでいる。
【００６２】
また、更に詳しくは、βラインは（２α−１）ライン毎の最上ラインと最下ラインを含む奇数ラインからなると言える。この場合、ベイヤー配列の色フィルターに対して、画素信号は色線順次で読み出される。
【００６３】
また、図７を用いて説明した加算は、一般化して、ｎラインの電荷を垂直転送路にｎ回に分けて移送すると共にｍ−１回の垂直転送を行なうことによりｎラインの加算を垂直転送路で行なった後、ｍ回単位で垂直転送クロックを与えて水平転送路への転送を行なう加算と言える。
【００６４】
また、図８を用いて説明した加算は、一般化して、ｎラインの電荷を垂直転送路に移送した後にｍ回単位で垂直転送クロックを与えて水平転送路への転送を行なうことによりｎラインの加算を水平転送路で行なう。
【００６５】
図９は第四の高速モードによる画素信号の読み出しの様子を示している。図面の意味およびＣＲとＣＢの表記の意味は図４と同じである。
【００６６】
図９に示されるように、この高速モードでは、ＣＣＤイメージセンサー１２は垂直方向に連続する３ラインの画素信号を加算して出力する。つまり、最初に１ライン目の画素信号と２ライン目の画素信号と３ライン目の画素信号を加算して出力し、続いて、４ライン目の画素信号と５ライン目の画素信号と６ライン目の画素信号を加算して出力し、以降、同じ処理を繰り返し、最後にＬ−２ライン目の画素信号とＬ−１ライン目の画素信号とＬライン目の画素信号を加算して出力する。図９では、便宜上、Ｌが３の倍数であるように描いてあるが、Ｌが３の倍数である必然性は全くない。
【００６７】
図９の高速モードでは、実際に読み出されるラインの数は全体の三分の一である。従って、図３の高画質モードに比べて、水平転送の回数は三分の一であり、画素信号は実質的に三分の一の時間で読み出される。一枚の画像の画素信号が１／４５〜１／３０秒の時間で得られる。従って、３０〜４５枚／秒のフレームレートでの画像の取得が可能であり、このフレームレートは通常の動画表示を実現し得る数値である。
【００６８】
画素信号の加算は垂直転送路または水平転送路において行なわれる。以下では、まず垂直転送路における加算について説明し、その後で水平転送路における加算について説明する。
【００６９】
図１０は垂直転送路における画素信号の加算を説明する図である。図中の四角形およびアルファベットの意味は図７と同じである。
【００７０】
画素信号の加算は例えば次のようにして行なわれる。図１０において、まず、Ａの添字がついたアルファベットのフォトダイオードの画素信号が垂直転送路に移送され、画素信号である電荷がフォトダイオードの横に形成されたポテンシャル井戸に格納される。その後、最上ラインのフォトダイオードの画素信号の電荷を格納したポテンシャル井戸が垂直転送路を下方に移動され、１ライン下のフォトダイオードすなわちＢの添字がついたアルファベットのフォトダイオードの横に来ると同時に、次ラインのフォトダイオードすなわちＢの添字がついたアルファベットのフォトダイオードの画素信号が垂直転送路に移送される。この結果、ポテンシャル井戸には、Ａの添字がついたアルファベットのフォトダイオードから移送された電荷とＢの添字がついたアルファベットのフォトダイオードから移送された電荷が一緒に格納される。続いて、最上ラインと次ラインの画素信号の電荷を格納したポテンシャル井戸が引き続き垂直転送路を下方に移動され、さらに１ライン下のフォトダイオードすなわちＣの添字がついたアルファベットのフォトダイオードの横に来ると同時に、最下ラインのフォトダイオードすなわちＣの添字がついたアルファベットのフォトダイオードの画素信号が垂直転送路に移送される。この結果、ポテンシャル井戸（図において＋を囲む楕円で示される）には、Ａの添字がついたアルファベットのフォトダイオードから移送された電荷とＢの添字がついたアルファベットのフォトダイオードから移送された電荷とＣの添字がついたアルファベットのフォトダイオードから移送された電荷が一緒に格納される。つまり最上ラインのフォトダイオードの画素信号と２ライン目のフォトダイオードの画素信号と最下ラインのフォトダイオードの画素信号が加算される。その後、加算した画素信号を格納したポテンシャル井戸は引き続き垂直転送路を下方に移動され、水平転送路に移った後は左方向に移動されライン単位で順番に読み出される。
【００７１】
ポテンシャル井戸の大きさは、全画素を読み出す時と同じであっても、異なっていてもよい。
【００７２】
ポテンシャル井戸の大きさが全画素読み出し時と同じ場合すなわちポテンシャル井戸の容量が全画素読み出し時のフォトダイオードの容量と同じ場合、オーバーフロードレインの基板電圧を調整してフォトダイオードの容量をポテンシャル井戸の容量の三分の一に変更することが好ましい。別の言い方をすれば、フォトダイオードを全画素読み出し時の三分の一のダイナミックレンジで動作させることが好ましい。このような容量すなわちダイナミックレンジの変更は、加算後に電荷が垂直転送路から溢れるのを防ぐ。この場合、フォトダイオードのダイナミックレンジが三分の一に制限されるが、読み出し後の信号レベルが全画素読み出し時と同じなので後の信号処理がそのまま行なえるメリットがある。
【００７３】
また、ポテンシャル井戸の大きさが全画素読み出し時と異なる場合、フォトダイオードをダイナミックレンジの変更なしで動作されるのであれば、ポテンシャル井戸の大きさは全画素読み出し時の三倍であることが好ましい。このようなポテンシャル井戸の大きさの設定は、加算後に電荷が垂直転送路から溢れるのを防ぐ。この場合、フォトダイオードのダイナミックレンジをフルに生かせるのでＳＮ比の面でメリットがある。
【００７４】
図１１は水平転送路における画素信号の加算を説明する図である。図中の四角形およびアルファベットの意味は図７と同じである。
【００７５】
画素信号の加算は次のようにして行なわれる。図１１において、まず、Ａの添字がついたアルファベットのフォトダイオードの画素信号とＢの添字がついたアルファベットのフォトダイオードの画素信号とＣの添字がついたアルファベットのフォトダイオードの画素信号が共に垂直転送路に移送され、画素信号である電荷がフォトダイオードの横に形成されたポテンシャル井戸（図において白抜きの楕円で示される）に格納される。その後、すべてのポテンシャル井戸が一様に垂直転送路を下方に移動され、３ライン毎に分割された中の最下ラインのポテンシャル井戸に格納された電荷が水平転送路に形成されたポテンシャル井戸（図において＋を囲む楕円で示される）に移った後も、ポテンシャル井戸の下方への移動は２ライン分だけ続けられ、３ライン毎に分割された中の次ラインのポテンシャル井戸に格納された電荷と最上ラインのポテンシャル井戸に格納された電荷も水平転送路に形成されたポテンシャル井戸に移る。この結果、水平転送路内のポテンシャル井戸には、Ａの添字がついたアルファベットのフォトダイオードから移送された電荷とＢの添字がついたアルファベットのフォトダイオードから移送された電荷とＣの添字がついたアルファベットのフォトダイオードから移送された電荷とが格納される。つまり垂直方向に連続する３ラインのフォトダイオードの画素信号が加算される。その後、水平転送路内のポテンシャル井戸は左方向に移動されライン単位で順番に読み出される。
【００７６】
水平転送路は、フォトダイオード間を延びる垂直転送路とは異なり、撮像領域の外側に位置するので、その幅は大きく設定することも可能である。つまり、水平転送路はその容量を大きく設計することが可能である。従って、水平転送路に形成するポテンシャル井戸は、垂直転送路のポテンシャル井戸の三倍以上の大きな容量をもつものとすることができる。このように水平転送路は大きな容量のポテンシャル井戸を形成可能であるので、フォトダイオードをフルのダイナミックレンジで動作させても、電荷が水平転送路から溢れる心配はない。この場合、フォトダイオードのダイナミックレンジをフルに生かせるのでＳＮ比の面でメリットがある。
【００７７】
上述した図９の高速モードでは、垂直方向に連続する３ラインの画素信号を加算して読み出しているが、ライン数はこれに限らない。例えば、垂直方向に連続する４ラインまたは５ラインの画素信号を加算して読み出してもよい。
【００７８】
特に、垂直方向に偶数ラインの画素信号を加算して読み出した場合、ベイヤー配列の色フィルターに対して読み出された画素信号はＲ＋２Ｇ＋Ｂの色情報を含んでいることになる。これは輝度信号の構成に近く、コントラスト情報を取り易く、オートフォーカス制御用のデータに適している。
【００７９】
これらを参酌すると、図９を用いて説明した第四の高速モードは、一般化して、垂直方向に連続するｑラインの画素信号を加算して読み出すモード（ここにｑは自然数である）であると言える。
【００８０】
また、図１０を用いて説明した加算は、一般化して、ｑラインの電荷を垂直転送路にｑ回に分けて移送すると共にｑ−１回の垂直転送を行なうことによりｎラインの加算を垂直転送路で行なった後、ｑ回単位で垂直転送クロックを与えて水平転送路への転送を行なう加算と言える。
【００８１】
また、図８を用いて説明した加算は、一般化して、ｑラインの電荷を垂直転送路に移送した後にｑ回単位で垂直転送クロックを与えて水平転送路への転送を行なうことによりｑラインの加算を水平転送路で行なう加算と言える。
【００８２】
前述したように、ＣＣＤイメージセンサー１２は通常時は高速モードで駆動され、トリガー４６が押し下げられた時だけ高画質モードで駆動され、きれいな画像が記録媒体３２に記録される。例えば、図１２に示されるように、液晶表示部３２には、通常時は１フレーム毎すなわち１／６０秒毎に一枚の画像が表示され、トリガー４６が押し下げられた直後は６フレームに相当する時間すなわち１／１０秒の間に一枚の画像が表示される。１／６０秒間に一枚の画像表示すなわち６０枚／秒のフレームレートでの画像表示は一般に人間の目には動画として認識される。このような理由から、図１２では、高速モードにより得られる画像を「動画」と表記し、これと区別するため、高画質モードにより得られる画像を「静止画」と表記してある。これに関連して、以下の説明においても、場合によって、高速モードにより得られる画像を「動画」と表現し、高画質モードにより得られる画像を「静止画」と表現する。
【００８３】
静止画の読み出しには複数のフレームに相当する時間（図１２では１／１０秒）を要するため、トリガー押し下げ後のしばらくの間は液晶表示部３２には静止画が表示され、その間に静止画は記録媒体３２に記録される。静止画の記録終了後、ＣＣＤイメージセンサー１２の読み出しモードは再び高速モードに戻り、液晶表示部３２には再び動画が表示される。
【００８４】
この電子的撮像装置では、図１３に示されるように、１フレーム毎つまり１／６０秒毎に、オートフォーカス調節機構（ＡＦ）、自動ホワイトバランス調節機構（ＡＷＢ）、自動露出調節機構（ＡＥ）のための制御データを得ている。ＡＦ、ＡＷＢ、ＡＥのための制御データの取得は、ＣＰＵ２４により、これまで説明してきた一部画像読み出しモードによってＤＲＡＭ２８に一時的に記憶された画像データに基づいて行なわれる。つまり、ＣＰＵ２４は、１フレーム毎すなわち１／６０秒毎に、ＤＲＡＭ２８に一時的に記憶された画像データを取り込み、これに適当な演算処理を行ない、ＡＦ、ＡＷＢ、ＡＥのための制御データのいずれかを算出する。ＡＦ、ＡＷＢ、ＡＥのための制御データは１フレーム毎に順番に算出され、制御データの算出は動画表示の間は繰り返し行なわれる。
【００８５】
算出されたＡＦ用の制御データはレンズ駆動系３８に送られ、レンズ駆動系３８はこれに基づいてレンズ４０を光軸方向に移動させる。ＡＥ用の制御データは絞り駆動系４２に送られ、絞り駆動系４２はこれに基づいて絞り４４の開口径を調節する。ＡＷＢ用の制御データは情報処理部２６に送られ、画像の色合いの補正に利用される。
【００８６】
このように１フレーム毎にＡＦ、ＡＷＢ、ＡＥのための制御データを得ているため、制御データを得るための電気回路として、画像データを一時的に記憶するＤＲＡＭ２８を利用できる。従来の装置は、ＡＦ、ＡＷＢ、ＡＥのための制御データを同時に得ているため、三系統の専用の回路を必要としたが、この装置はそのような回路を必要としない。
【００８７】
動画を表示するための高速モードは、上述した四つのモードの中で切り換えられてもよい。さらに、モードの切り換えに伴ない、制御データの算出の仕方も切り換えられてもよい。動画表示時の読み出しモードの切り換えは例えばトリガー操作によって行なわれる。この場合、トリガー４６は二段押し式トリガーが使用され、これはトリガーが一段押し下げられたときに第一のスイッチとして機能し、続けて二段押し下げられたときに第二のスイッチとして機能する。図１４はこのようなトリガー操作に応じた読み出しモードの切り換えの一例を示している。
【００８８】
通常時は、ＣＣＤイメージセンサー１２は、前述の第一ないし第二ないし第三の高速モードのいずれかのモードで駆動される。図１４には、これらを総称して「ｎライン」モードと表記してある。その間は、ｎラインモードにより得られる画像データに基づいて、ＡＦ、ＡＷＢ、ＡＥのための制御データが１フレーム毎に繰り返し算出され、ＡＦ制御とＡＷＢ制御とＡＥ制御が行なわれる。
【００８９】
トリガー４６が一段押し下げられた後に少なくとも所定時間が経過する間は、ＣＣＤイメージセンサー１２は、前述の第四の高速モードで駆動される。図１４には、これを「ｑ加算」モードと表記してある。その間、ｑ加算モードに基づいて得られる画像データに基づいて、ＡＦのための制御データが１フレーム毎に算出され、専らＡＦ制御が行なわれる。つまり、トリガーの一段押し下げ後の所定時間はＡＦ制御専用に割り当てられている。前述したように、ｑ加算モードにより読み出される画素信号はＲ＋２Ｇ＋Ｂの色情報を含んでおり、輝度信号の構成に近いため、コントラスト情報が取り易く、ＡＦ用の制御データの算出に適している。このため、この間は、最適な制御データによるＡＦ制御が行なわれる。
【００９０】
トリガー４６が二段押し下げられると、ＡＦ制御専用の所定時間が経過していれば直ちに、さもなければ経過後に、ＣＣＤイメージセンサー１２は、読み出しモードに切り換えられ、順次走査による高画質モードで駆動される。その後、６フレームすなわち１／１０秒の間に順次走査によるきれいな画像が記録媒体３２に記録される。静止画の記録終了後、ＣＣＤイメージセンサー１２の読み出しモードは再びｎラインモードに戻る。
【００９１】
このような読み出しモードの切り換えと制御データの変更により、静止画記録の直前は専らＡＦ制御が最適な制御データに基づいて行なわれるので、より正確に合焦したきれいな画像の取得が効果的に行なわれる。
【００９２】
図１５はトリガー操作に応じた読み出しモードの切り換えの別の例を示している。この例では、ＣＣＤイメージセンサー１２は常にｑ加算モードで駆動されるが、静止画記録直前の加算ライン数が通常時の二倍になっている。
【００９３】
通常時は、ＣＣＤイメージセンサー１２は、垂直方向に連続するαライン（αは２以上の自然数）の画素信号を加算して読み出すｑ加算モードで駆動される。その間は、このｑ加算モードにより得られる画像データに基づいて、ＡＦ、ＡＷＢ、ＡＥのための制御データが１／６０秒毎に繰り返し算出され、ＡＦ制御とＡＷＢ制御とＡＥ制御が行なわれる。
【００９４】
トリガー４６が一段押し下げられた後に少なくとも所定時間が経過する間は、ＣＣＤイメージセンサー１２は、垂直方向に連続する２αラインの画素信号を加算して読み出すｑ加算モードで駆動される。その間は、このｑ加算モードにより得られる画像データに基づいて、ＡＦのための制御データが１／１２０秒毎に算出され、これに基づいてＡＦ制御が行なわれる。
【００９５】
トリガー４６が二段押し下げられると、ＡＦ制御専用の所定時間が経過していれば直ちに、さもなければ経過後に、ＣＣＤイメージセンサー１２は、読み出しモードが切り換えられ、順次走査による高画質モードで駆動される。その後、６フレームすなわち１／１０秒の間に順次走査によるきれいな画像が記録媒体３２に記録される。静止画の記録終了後、ＣＣＤイメージセンサー１２の読み出しモードは再び通常時のｑ加算モードに戻る。
【００９６】
このような読み出しモードの切り換えと制御データの変更により、静止画記録の直前は専らＡＦ制御が通常時の二倍のレートで得られる制御データに基づいて行なわれるので、より高速に合焦しシャッターチャンスを逃さずにきれいな画像の取得が効果的に行なわれる。
【００９７】
本発明は、上述の実施の形態に何等限定されるものではなく、その技術思想を逸脱しない範囲で行なわれる実施はすべて含む。
【図面の簡単な説明】
【０２５７】
【図１】本発明の実施形態の電子的撮像装置の回路構成を示すブロック図である。
【図２】ベイヤー配列の色フィルターの構成を示す。
【図３】高画質モードによる画素信号の読み出しの様子を示している。
【図４】第一の高速モードによる画素信号の読み出しの様子を示している。
【図５】第二の高速モードによる画素信号の読み出しの様子を示している。
【図６】第三の高速モードによる画素信号の読み出しの様子を示している。
【図７】図６のモードに関する垂直転送路における画素信号の加算を説明する図である。
【図８】図６のモードに関する水平転送路における画素信号の加算を説明する図である。
【図９】第四の高速モードによる画素信号の読み出しの様子を示している。
【図１０】図９のモードに関する垂直転送路における画素信号の加算を説明する図である。
【図１１】図９のモードに関する水平転送路における画素信号の加算を説明する図である。
【図１２】液晶表示部に表示される画像の切り換わりの様子を示している。
【図１３】ＡＦ、ＡＷＢ、ＡＥのための制御データが順番にフレーム毎に得られる様子を示している。
【図１４】トリガー操作に応じた読み出しモードの切り換えの一例を示している。
【図１５】トリガー操作に応じた読み出しモードの切り換えの別の例を示している。
【符号の説明】
【０２５８】
１２…ＣＣＤイメージセンサー、２０…タイミングジェネレーター、２２…シグナルジェネレーター、２４…ＣＰＵ、２６…情報処理部、２８…ＤＲＡＭ、３０…圧縮伸長回路、３２…記録媒体、３４…液晶表示部、４６…トリガー。
【図１】
0003965146.tif 000002
【図２】
0003965146.tif 000003
【図３】
0003965146.tif 000004
【図４】
0003965146.tif 000005
【図５】
0003965146.tif 000006
【図６】
0003965146.tif 000007
【図７】
0003965146.tif 000008
【図８】
0003965146.tif 000009
【図９】
0003965146.tif 000010
【図１０】
0003965146.tif 000011
【図１１】
0003965146.tif 000012
【図１２】
0003965146.tif 000013
【図１３】
0003965146.tif 000014
【図１４】
0003965146.tif 000015
【図１５】
0003965146.tif 000016